(57)【要約】【課題】  吹き矢を行う際にプレイヤーが操作しやすく、また、矢筒が軽量で丈夫な吹き矢道具を提供する。【解決手段】  軽金属からなる中空円筒状のパイプ３の全外周に軸方向に一定間隔で形成した溝５と前記パイプ３の一端開口に設けた吹き口４とからなる矢筒２と、該矢筒２の外周に外嵌されて軸方向にスライド自在な生木を切り抜いた中空状の把持部６と、を具備してなり、吹き矢を行う際にプレイヤーがグリップしやすい位置で把持でき、また、操作時の矢筒の垂平度が保ちやすく、且つ強度の高い吹き矢道具を提供することを目的とする。【選択図】  図１
2006046820.tif 000002
【特許請求の範囲】
【請求項１】
軽金属からなる中空円筒状のパイプの全外周に軸方向に一定間隔で形成した溝と前記パイプの一端開口に設けたマウスピースとを有する矢筒と、前記パイプの外周に外嵌されて軸方向にスライド自在な生木を切り抜いた中空状の把持部と、前記矢筒の内部へ挿入する矢とを具備してなる吹き矢道具。
【請求項２】
前記矢が先端部に吸盤を付設されたものであることを特徴とする請求項１に記載の吹き矢道具。
【発明の詳細な説明】
【技術分野】
【０００１】
本発明は、玩具として、あるいはレジャー及びスポーツ分野において使用される吹き矢道具に関する。
【背景技術】
【０００２】
吹き矢は、中空円筒状の矢筒内に円錐状である矢を該矢の尖端部から入れ、矢筒の後端にあるマウスピースを口にくわえて息を吹き込み、矢を矢筒の先端から発射して標的に命中させるゲームである。近年、矢を発射する際の息吹きが腹式呼吸であり健康によいということもありスポーツとしての吹き矢が普及しており、それに伴い従来の性能に加えより正確な射的性が要求され、矢筒や矢等の吹き矢道具の性能も重要視されている。また、吹き矢はメンタル面や息吹きの微妙な変化が命中率に影響を及ぼす繊細なスポーツであるため、吹き矢道具は矢筒や矢の性能はもちろんのこと、プレイヤーが操作しやすいものが望まれている。
【０００３】
従来の吹き矢道具は、矢筒においては繊維強化プラスチックで製造されたものがあり、これは中空円筒状のパイプからなる矢筒が少なくとも内外２層の繊維強化プラスチック層からなり、該繊維強化プラスチック層がフィラメントワインディング法で形成されてなるものである（特許文献１参照）。
【特許文献１】特開２００１−１０８３９６号公報
【発明の開示】
【発明が解決しようとする課題】
【０００４】
矢筒は通常、中空円筒状のパイプと吹き口であるマウスピースとからなるものが使用されているが、該パイプが円筒状であるため水平を保つのが容易でなく、金属管の場合は軽量化のため薄肉とせざるを得ず、そのために少しの衝撃で凹みやすく、また、塩化ビニル管の場合は剛性が弱いため長手方向に反りが生じやすい。また、吹き矢の命中率はメンタル的なものが大きく影響するため、プレイヤーにとって正確に標的を狙うには、無理な姿勢をせず最適な状態で使用できる道具が望ましい。しかし、従来の矢筒は中空円筒状のパイプとマウスピースとからのみでなり、プレイヤーがパイプの一部を直接把持し操作を行うため、操作する際に集中して手に汗をかくと手が滑って安定してグリップできなくなり、最適な状態で操作できなくなるという問題がある。
【０００５】
本発明は、これらの点に鑑みてなされたものであり、吹き矢を行う際にプレイヤーがグリップしやすい位置でしっかり把持でき、また、操作時の矢筒の水平度が保ちやすく、且つ強度の高い吹き矢道具を提供することを目的とする。
【課題を解決するための手段】
【０００６】
本発明に係る吹き矢道具は、軽金属からなる中空円筒状のパイプの全外周に軸方向に一定間隔で形成した溝と前記パイプの一端開口に設けたマウスピースとからなる矢筒と、前記パイプの外周に外嵌されて軸方向にスライド自在な生木を切り抜いた中空状の把持部と、前記矢筒の内部へ挿入する矢と、を具備してなることを特徴とする。
【０００７】
また、本発明は、吹き矢道具において、前記矢が先端部に吸盤を付設されたものであることを特徴とする。
【発明の効果】
【０００８】
本発明に係る吹き矢道具によれば、生木を切り抜いた中空状の前記把持部が前記パイプに外嵌され、軸方向にスライド自在であることより、プレイヤーがグリップしやすい位置において把持でき、無理のない姿勢で操作ができることにより吹き矢に用いる矢の標的への命中率を向上できる。
【０００９】
また、矢筒に使用するパイプが軽金属からなることより、軽量で且つ長持ちする。また、パイプの全外周に軸方向一定間隔で溝を形成することによって、パイプの水平度が保ちやすく、強度もアップし、凹んだり反りかえったりすることを軽減できる。更に、把持部を軸方向にスライドさせる際には溝によって直線方向への移動が確保され、且つ、使用時に回転しにくいので、標的への命中率がより向上する。
【００１０】
また、矢の先端を吸盤としたことにより息吹きの力の弱い高齢者や子供でも簡単に矢を標的に吸着させることができ、更には、矢の先端が先細りになっていないため、手元が狂い矢が標的の方向とは別方向に向かった際においても危険性が少なく、安心してプレイすることができる。
【発明を実施するための最良の形態】
【００１１】
以下、本発明の実施の形態ついて詳細に説明する。
図１は、吹き矢道具１の構成を示すものである。吹き矢道具１は、中空円筒状のパイプ３の全外周に軸方向に一定間隔で形成した溝５と前記パイプ３の一端開口に設けたマウスピース４とからなる矢筒２と、前記パイプ３の外周に外嵌されて軸方向にスライド自在な生木を切り抜いた中空状の把持部６と、前記矢筒２の内部に挿入する矢７とからなる。
【００１２】
パイプ３は、図１，２に示すような中空円筒状のものであり、アルミ等の比重の小さい軽金属からなる。パイプ３の内径ｒ１は通常１０〜１４ｍｍ程度であるため既製の軽金属パイプで同程度の内径を有するものを用いることができる。パイプ３の軸方向長さも通常５００〜１２００ｍｍ程度であるため既製の軽金属パイプを用途に合わせ同程度に切断して用いることができる。パイプ３の軸方向長さの目安としては通常、射程８ｍで１２００ｍｍ程度のパイプを用い、病院等で体力回復のため使用する場合や、初心者、高齢者、子供や車椅子利用者等が射程５，６ｍ程度で使用する場合は５００〜６００ｍｍ程度の長さを用いる。また、パイプ３は全外周に軸方向に一定間隔で形成された溝５を有する。該溝５は幅及び深さが０．５ｍｍ程度でよいが、これに限定されるものではない。このような溝５を形成することにより、把持した際にパイプ３の水平度が保ちやすくなり、更にたわみに対する強度も増加するという効果がある。該溝５の形成方法は公知且つ任意の手法を採用できる。パイプ３の素材に関してはビニールパイプに金メッキ等を施したものを用いてもよい。
【００１３】
マウスピース４は、パイプ３の内径ｒ１に合わせてパイプ３の一端に設けられている。形状、設置手法に関しては公知のものを使用できる。
【００１４】
把持部６は、図３，５に示すように、矢筒２のパイプ３の外周に外嵌され軸方向にスライド自在であり、プレイヤーＭがグリップしやすい位置で把持できるものである。該把持部６の内径ｒ３は、前記パイプ３の外径ｒ２と略同径であるか、若しくは前記パイプ３の外径ｒ２より若干大きくしてもよい。いずれの場合においても把持部６をパイプ３に外嵌した際に把持部６がスムーズにスライドすればよい。なお、図３には把持部６の内径ｒ３とパイプ３の外径ｒ２がほぼ同径である場合を示している。また、把持部６の軸方向長さは特には限定されないが、把持しやすいように手の幅程度であれば十分である。該把持部６は適当な太さの間伐材の生木を切り抜いたものを用いると低コストで製作することができる。また、生木を用いることにより外観に関しては把持部６に木目が表れ見た目に美しく、ぬくもりを感じさせることができ、実際に把持する際には手触りがよく、木独特の感触になり、優れた吸湿性で汗を吸収することができ、更には木の独特の香りにより心地よくさわやかな気分になり、リラックスして操作することができる。このような生木のもつ様々な効果により、メンタル的な要素が標的への命中率に大きく影響する吹き矢において、標的への命中率の向上が期待できる。
【００１５】
矢７は図４に示すように、細長い円錐状に形成されたものであり、薄い剛性樹脂フィルムを巻いて矢７の先端側に錘８が固着してあるものが通常用いられている。前記矢７はパイプ３に付設されたマウスピース４の開口部から矢７の尖端部が発射された際に先頭になるように挿入する。また、矢７は後端部の外径ｒ４とパイプ３の内径ｒ１が適合すれば現存する矢を用いることが可能であり、テーパーのジグに薄い剛性樹脂フィルム等を巻いて中空で円錐状の矢を公知且つ任意の手法で製作して用いることも可能である。また、図６に矢７の変形例である矢９を示す。該矢９は中空状の筒１０と該筒１０の先端に付設された吸盤１１を有し、前記筒１０の先端には蓋がされており、該筒１０の先端の内側には錘１２が固着されているものである。筒１０は矢７と同様に薄い剛性樹脂フィルムを巻いて細長い円柱状に形成されたものであり、筒１０の外径ｒ５と矢７の外径ｒ４が略同径になるように形成する。また、吸盤１１の素材、形状等に関しては公知のものを使用でき、前記筒１０への設置方法についても特に限定はしない。図に示すように、矢９が標的１３に命中すると吸盤１１の先端が広がり、前記標的１３に吸着する。このような矢９を使うことによって、矢７のように先端が先細りになっているものを使用して該矢７を標的１３に突き刺さす場合と比べて、息吹きの力が弱いために矢７が突き刺さらないということがなく、息吹きの力が弱くても矢９を簡単に標的１３に吸着させることができて、高齢者や子供等のように息吹きの力が弱いプレイヤーにとっても容易に楽しむことができる。また、矢９を吹いた際に手元が狂い、該矢９が標的１３の方向とは別方向に向かっても先端が先細りになっていないので矢７を使用する場合に比べて危険性が少なく、特に高齢者や子供等にとっては安心してプレイすることができる。
【００１６】
以下、本吹き矢道具の使用方法について説明する。
図５は吹き矢道具１の実施例を示すものである。吹き矢道具１は、あらかじめ矢筒２に矢７を前記のように挿入し、プレイヤーＭが図に示すように、把持部６をグリップしやすい位置にスライドさせて把持し、マウスピース４から息を吹き込み、矢７を発射させ標的１３に命中させるためのものである。そして吹き矢は矢７が命中した標的１３に記載した点数や、標的１３の中心から命中した矢７までの距離を競って楽しむのもである。
【００１７】
吹き矢を行う際の標的に関しては公知且つ任意の標的を用いてもよい。図７に示すようにダンボールに標的を描いた紙を貼り付けて製作した標的１４を使用してもよい。遊び方に関しては、例えば、点数だけを標記するのではなく、図７に示すように全国各地の温泉の名前を点数の標記された欄に明記し、中心に的中すれば２００点、中央の標的を外しても、標的の枠外の左上の温泉マークに当たれば１００点というふうにして使用することができる。この時、標的の標記の仕方は温泉の名前ではなく、関取りの名前、プロ野球球団の名前等、様々にアレンジした標的を作成して楽しむことができる。
【００１８】
この様にすれば、吹き矢道具１を把持しやすい位置でグリップし、最適な状態で操作することにより標的への命中率が向上し、競技としてのスポーツ用吹き矢として楽しめ、また、標的に様々なアレンジを加えたり、矢の種類をプレイヤーにあったものに自由に選択できることにより高齢者、初心者や子供の娯楽としての吹き矢としても飽きずに簡単に、また安全に楽しめる吹き矢道具を提供することができる。
【図面の簡単な説明】
【００１９】
【図１】吹き矢道具１の構成を示す正面図。
【図２】図１のＡ−Ａ断面図。
【図３】図１のＢ−Ｂ断面図。
【図４】矢７を示す正面図。
【図５】吹き矢道具１を使用した吹き矢の実施例。
【図６】変形例の矢９が標的１３に的中した状態を示す模式図。
【図７】変形例である矢９と標的１４を用いた実施例。
【符号の説明】
【００２０】
１  吹き矢道具
２  矢筒
３  パイプ
４  マウスピース
５  溝
６  把持部
７  矢
【図１】
2006046820.tif 000003
【図２】
2006046820.tif 000004
【図３】
2006046820.tif 000005
【図４】
2006046820.tif 000006
【図５】
2006046820.tif 000007
【図６】
2006046820.tif 000008
【図７】
2006046820.tif 000009